(57)【要約】【課題】  コレステリック液晶で、より均一な、コントラストの高い表示を実現する。【解決手段】  ステップＳ２１で、コラム電極Ｙ１乃至Ｙ３に、電圧Ｖ１の両極性パルスが所定期間中にＴ回（複数回）印加され、ロウ電極Ｘ１乃至Ｘ３に、電圧−Ｖ２の両極性パルスが所定期間中にＴ回印加される。このことにより、全プレーナリセットが実行される。ステップＳ２２において、ロウ電極に選択電圧３Ｖを所定期間中にそれぞれＴ回走査印加させるとともに、コラム電極に逆特性の両極性パルス−４Ｖを所定期間中にそれぞれＴ回、ロウ電極への走査印加のタイミングとあわせて、選択的に印加させて、コレステリック液晶パネルを駆動させ、所望の画素位置の液晶のみをフォーカルコニック状態に変化させることにより、所望の情報が表示される。本発明は、液晶表示装置または液晶駆動回路に適用できる。【選択図】図１８
2005181916.tif 000002
【特許請求の範囲】
【請求項１】
第１の電極および第２の電極に電圧を印加することにより、コレステリック液晶の状態を変化させて情報を表示する表示手段と、
前記第１の電極に両極性電圧を印加する第１の駆動手段と、
前記第２の電極に、前記第１の電極に印加される両極性電圧とは逆特性の両極性電圧を印加する第２の駆動手段と
を備える表示装置において、
前記コレステリック液晶の所定の画素位置の状態を所定の状態とするために、前記第１の駆動手段を制御して、前記第１の電極に両極性電圧を所定期間中に複数回印加させるとともに、前記第２の駆動手段を制御して、前記第２の電極に、前記第１の電極に印加される両極性電圧とは逆特性の両極性電圧を、前記第１の電極に両極性電圧が印加されるのと同一のタイミングで印加させる制御手段
を備えることを特徴とする表示装置。
【請求項２】
前記所定の状態は、リセット状態であり、
前記制御手段は、前記コレステリック液晶の所定の画素の表示をリセットさせるために、前記第１の駆動手段を制御して、前記第１の電極に第１の両極性電圧を所定期間中に複数回印加させるとともに、前記第２の駆動手段を制御して、前記第２の電極に、第２の両極性電圧を、前記第１の電極に前記第１の両極性電圧が印加されるのと同一のタイミングで印加させる
ことを特徴とする請求項１に記載の表示装置。
【請求項３】
前記所定の状態は、情報表示のための状態であり、
前記制御手段は、前記コレステリック液晶の所定の画素位置の状態を、リセット状態から情報表示のための状態に変化させるために、前記第１の駆動手段を制御して、前記第１の電極に、所定期間中に第１の両極性電圧を複数回印加させるとともに、前記第２の駆動手段を制御して、前記第２の電極に、第２の両極性電圧を、前記第１の電極に前記第１の両極性電圧が印加されるのと同一のタイミングで印加させる
ことを特徴とする請求項１に記載の表示装置。
【請求項４】
前記表示手段は、プレーナ状態において異なる波長帯域の光を反射する複数の前記コレステリック液晶を備える
ことを特徴とする請求項１に記載の表示装置。
【請求項５】
第１の電極および第２の電極に電圧を印加することにより、コレステリック液晶に情報を表示する表示部を備える表示装置の表示方法において、
前記第１の電極に第１の両極性電圧を第１の所定期間内に複数回印加するとともに、前記第２の電極に、前記第１の両極性電圧とは逆特性の第２の両極性電圧を、前記第１の電極に第１の両極性電圧が印加されるのと同一のタイミングで印加する第１の電圧印加ステップ
を含むことを特徴とする表示方法。
【請求項６】
前記第１の電極に、前記第１の両極性電圧および前記第２の両極性電圧とは異なる第３の両極性電圧を、前記第１の所定期間とは異なる第２の所定期間内に１回印加するとともに、前記第２の電極に、前記第３の両極性電圧とは逆特性の第４の両極性電圧を、前記第１の電極に第３の両極性電圧が印加されるのと同一のタイミングで印加する第２の電圧印加ステップ
を更に含むことを特徴とする請求項５に記載の表示方法。
【請求項７】
前記第１の電極に、前記第１の両極性電圧および前記第２の両極性電圧とは異なる第３の両極性電圧を、前記第１の所定期間とは異なる第２の所定期間内に複数回印加するとともに、前記第２の電極に、前記第３の両極性電圧とは逆特性の第４の両極性電圧を、前記第１の電極に第３の両極性電圧が印加されるのと同一のタイミングで印加する第２の電圧印加ステップ
を更に含むことを特徴とする請求項５に記載の表示方法。
【請求項８】
第１の電極および第２の電極に電圧を印加することにより、コレステリック液晶により構成される液晶表示素子を駆動する液晶駆動回路において、
前記第１の電極に両極性電圧を印加する第１の駆動手段と、
前記第２の電極に、前記第１の電極に印加される両極性電圧とは逆特性の両極性電圧を印加する第２の駆動手段と、
前記第１の駆動手段および前記第２の駆動手段の動作を制御する制御手段と
を備え、
前記制御手段は、前記コレステリック液晶の所定の画素位置の状態を所定の状態とするために、前記第１の駆動手段を制御して、前記第１の電極に両極性電圧を所定期間中に複数回印加させるとともに、前記第２の駆動手段を制御して、前記第２の電極に、前記第１の電極に印加される両極性電圧とは逆特性の両極性電圧を、前記第１の電極に両極性電圧が印加されるのと同一のタイミングで印加させる
ことを特徴とする液晶駆動回路。
【請求項９】
前記所定の状態は、リセット状態であり、
前記制御手段は、前記コレステリック液晶の所定の画素の表示をリセットさせるために、前記第１の駆動手段を制御して、前記第１の電極に第１の両極性電圧を所定期間中に複数回印加させるとともに、前記第２の駆動手段を制御して、前記第２の電極に、第２の両極性電圧を、前記第１の電極に前記第１の両極性電圧が印加されるのと同一のタイミングで印加させる
ことを特徴とする請求項８に記載の液晶駆動回路。
【請求項１０】
前記所定の状態は、情報表示のための状態であり、
前記制御手段は、前記コレステリック液晶の所定の画素位置の状態を、リセット状態から前記情報表示のための状態に変化させるために、前記第１の駆動手段を制御して、前記第１の電極に、所定期間中に第１の両極性電圧を複数回印加させるとともに、前記第２の駆動手段を制御して、前記第２の電極に、第２の両極性電圧を、前記第１の電極に前記第１の両極性電圧が印加されるのと同一のタイミングで印加させる
ことを特徴とする請求項８に記載の液晶駆動回路。
【請求項１１】
第１の電極および第２の電極に電圧を印加することにより、コレステリック液晶により構成される液晶表示素子を駆動する液晶駆動回路の液晶駆動方法において、
前記第１の電極に第１の両極性電圧を第１の所定期間内に複数回印加するとともに、前記第２の電極に、前記第１の両極性電圧とは逆特性の第２の両極性電圧を、前記第１の電極に第１の両極性電圧が印加されるのと同一のタイミングで印加する第１の電圧印加ステップ
を含むことを特徴とする液晶駆動方法。
【請求項１２】
前記第１の電極に、前記第１の両極性電圧および前記第２の両極性電圧とは異なる第３の両極性電圧を、前記第１の所定期間とは異なる第２の所定期間内に１回印加するとともに、前記第２の電極に、前記第３の両極性電圧とは逆特性の第４の両極性電圧を、前記第１の電極に第３の両極性電圧が印加されるのと同一のタイミングで印加する第２の電圧印加ステップ
を更に含むことを特徴とする請求項１１に記載の液晶駆動方法。
【請求項１３】
前記第１の電極に、前記第１の両極性電圧および前記第２の両極性電圧とは異なる第３の両極性電圧を、前記第１の所定期間とは異なる第２の所定期間内に複数回印加するとともに、前記第２の電極に、前記第３の両極性電圧とは逆特性の第４の両極性電圧を、前記第１の電極に第３の両極性電圧が印加されるのと同一のタイミングで印加する第２の電圧印加ステップ
を更に含むことを特徴とする請求項１１に記載の液晶駆動方法。
【発明の詳細な説明】
【技術分野】
【０００１】
本発明は、表示装置および表示方法、並びに、液晶駆動回路および液晶駆動方法に関し、特に、コレステリック液晶を用いて情報を表示する場合に用いて好適な、表示装置および表示方法、並びに、液晶駆動回路および液晶駆動方法に関する。
【背景技術】
【０００２】
液晶表示装置には、例えば、単純マトリクス方式のＴＮ（Twisted Nematic）液晶やＳＴＮ（Super Twisted Nematic）液晶、アクティブマトリクス方式を利用したＴＦＴ（Thin Film Transistor）液晶やＭＩＭ（Metal In Metal）液晶などが利用されている。
【０００３】
単純マトリクス方式は、格子状にX電極、Y電極を配置し、これらの電極をタイミングよくON／OFFすることで交点部の液晶を駆動するものである。単純マトリクス方式を用いた液晶表示装置は、電極が少なく、構造も単純なため製造が容易で歩留りが高いので、アクティブマトリクス方式を利用した製品に比べて一般に価格が安いが、画素を構成する液晶セルの電極が独立していないため、電圧が干渉して周りのセルに影響を及ぼしてしまい、画素の１つ１つをクリアに表示しにくい。一方、アクティブマトリクス方式は、単純マトリクス方式に対し、画素ごとにオン、オフを切り替えて（画素の１つ１つに対応するアクティブ素子を追加して、液晶を駆動することにより）表示するものである。アクティブマトリクス方式は、単純マトリクス方式に比べて反応速度が速く、残像が少なく、また視野角も広いなど性能の点では優れているが、製造コストが高い。
【０００４】
これらの液晶を利用した表示装置において、情報の表示を保持するためには、液晶に電圧を印加し続ける必要がある。液晶に一定期間電圧が印加された場合、「焼き付き」と称される残像現象が発生する。焼き付きを防ぐためには、例えば、所定周期で画素電極に印加される電圧を反転させるフレーム反転技術などが用いられる。フレーム反転などの極性反転技術が採用された場合、信号線に印加される電圧の振幅は、方極性で駆動される場合と比較して、２倍必要となる。そこで、信号線に印加される電圧振幅を半減させるために、コモン反転技術などが用いられている。
【０００５】
以上説明した液晶表示装置に対して、コレステリック液晶を用いた液晶表示装置では、印加電圧によって状態が遷移し（プレーナ状態とフォーカルコニック状態）、これを利用して、情報を表示し、更に、一度表示された情報を、電源の供給なしに保持することが可能である（例えば、非特許文献１参照）。
【０００６】
【非特許文献１】日刊工業新聞社発行、「液晶デバイスハンドブック」、１９８９年９月２９日発行、第３５２頁乃至第３５５頁
【０００７】
コレステリック液晶は、プレーナ状態では、液晶螺旋層の間隔に対応した波長の光を選択的に反射し、フォーカルコニック状態では、ほぼ透明となる。
【０００８】
図１および図２を用いて、コレステリック液晶パネル１の構成について説明する。図１は、コレステリック液晶パネル１の断面図であり、図２は、コレステリック液晶パネル１の２つの電極の構成について説明するための図である。
【０００９】
ガラス基板１１−１には、透明コラム電極（ＩＴＯ：Indium Tin Oxide）１２が、ストライプ状に蒸着（または、スパッタリング）され、ガラス基板１１−２には、透明ロウ電極（ＩＴＯ：Indium Tin Oxide）１５が、ストライプ状に蒸着（または、スパッタリング）されている。ガラス基板１１−１およびガラス基板１１−２の透明コラム電極１２および透明ロウ電極１５が蒸着（または、スパッタリング）された側の面には、それぞれ、膜厚数μｍ程度のポリイミド層１３−１および１３−２が形成される。
【００１０】
このように電極が設けられたガラス基板１１−１およびガラス基板１１−２は、透明コラム電極１２と透明ロウ電極１５のそれぞれのストライプがクロスし、ポリイミド層１３−１およびポリイミド層１３−２を介して対面するように、ギャップ材などにより、ギャップ厚数μｍ（例えば、５μｍ程度）で張り合わされる。そして、ガラス基板１１−１およびガラス基板１１−２のギャップ間に、例えば、真空注入法などで、コレステリック液晶が注入されて、コレステリック液晶膜１４が形成される。
【００１１】
コレステリック液晶パネル１は、例えば、一般的に用いられるＴＮ（Twisted Nematic）液晶などのように、ポリイミド層を配向させたり、偏光板をガラス基板の上に設けたりする必要がない。
【００１２】
コレステリック液晶は、分子構造として、特殊なヘリカル構造（らせん構造）を持っており、印加された両極性パルス電圧の値によって、ヘリカル構造が変化するために、状態が変化する。図３に示されるように、コレステリック液晶は、印加される両極性パルス電圧の値によって、フォーカルコニック状態およびプレーナ状態の、安定した２つの状態をとることができる。プレーナ状態は、光の特定波長帯域を干渉散乱する状態であり、フォーカルコニック状態は、光を広帯域にわたって透過する状態である。
【００１３】
したがって、コレステリック液晶パネル１においては、プレーナ状態において反射される波長帯域に基づいて決定される第１の色と、フォーカルコニック状態において透明である場合に液晶を透過して見える第２の色によって、情報を表示することができる。すなわち、コレステリック液晶パネル１においては、例えば、コレステリック液晶が、プレーナ状態において特定波長帯域の光を乱反射するようにし、コレステリック液晶層１４の下を黒色にして、フォーカルコニック状態において、その黒色が透過して見えるようにすることにより、特定波長色と黒のモノトーン表示を行うことが可能となる。
【００１４】
図３に示されるように、コレステリック液晶の状態をプレーナ状態に変化させるために必要な両極性パルス電圧の電圧値Ｖｐｓは、フォーカルコニック状態に変化させるために必要な両極性パルス電圧の電圧値Ｖｆｓの、ほぼ２倍の電圧値である。
【００１５】
コレステリック液晶は、所定の画素電極に、両極性パルス電圧が印加されて、フォーカルコニック状態、または、プレーナ状態になると、その後、電圧の印加を受けなければ、その状態を保持することができる。そして、コレステリック液晶は、再び、両極性パルス電圧が印加された場合、その電圧値によって、必要に応じて、状態を再度変化させることができる。すなわち、コレステリック液晶を用いたコレステリック液晶パネル１は、両極性パルス電圧の印加によって表示された情報を、その後の電源の供給を受けることなく保持することが可能である。
【００１６】
図４は、コレステリック液晶パネル１の所定の画素の表示を変更させる場合に画素電極に印加される駆動電圧波形の例である。フォーカルコニック状態において、所定の画素電極に、電圧Ｖｐｓの両極性パルスが印加された場合、プレーナ状態となるので、表示色は第１の色となり、プレーナ状態において、所定の画素電極に、電圧Ｖｆｓの両極性パルスが印加された場合、フォーカルコニック状態となるので、表示色は、第１の色から第２の色に変更される。
【００１７】
コレステリック液晶パネル１においては、例えば、パネルの全面に電圧値Ｖｐｓの両極性パルスを印加することにより、表示面全体をプレーナ状態として、表示されている情報を一旦リセットした後、必要な位置の画素電極に電圧値Ｖｆｓの両極性パルスを印加して、フォーカルコニック状態に状態を変化させることにより、所定の情報を表示し、その後、電圧をかけないことにより、表示された情報を保持することができる。
【００１８】
図５は、コレステリック液晶パネル１を駆動するための、従来の液晶駆動回路２１の構成例を示すブロック図である。ここでは、コレステリック液晶パネル１は、ｎ×ｍ画素の情報を表示するものとして説明する。
【００１９】
コラムドライバ３１は、クロック（ＣＬＫ）信号およびコレステリック液晶パネル１に表示させる情報を示すデータ（ＤＡＴＡ）信号の供給を受けるとともに、駆動電圧±Ｖ２およびＧＮＤ（０Ｖ）と接続され、コレステリック液晶パネル１の透明コラム電極１２のコラム（信号）電極Ｙ１乃至Ｙｎに、図７を用いて後述する所定のタイミングで、所定の電圧を印加するドライバである。
【００２０】
ロウドライバ３２は、クロック（ＣＬＫ）信号の供給を受けるとともに、駆動電圧±Ｖ１およびコラムドライバ３１に供給されているＧＮＤと共通のＧＮＤと接続され、コレステリック液晶パネル１の透明ロウ電極１５のロウ（走査）電極Ｘ１乃至Ｘｍに、図７を用いて後述する所定のタイミングで、所定の電圧を印加するドライバである。
【００２１】
ここで、駆動電圧Ｖ１と駆動電圧Ｖ２とは、Ｖ１＋Ｖ２＞Ｖｐｓを満たす電圧値である。
【００２２】
次に、３×３の９画素を２色で表示（特定波長色と黒の２色であり、例えば、特定波長色が緑である場合、緑と黒との２色で表示）する場合の具体例について説明する。
【００２３】
例えば、図６に示されるように、３×３の９画素のうち、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素を黒に、他の３画素を特定波長色に表示する場合について説明する。特定波長色の表示は、プレーナ状態のコレステリック液晶により、特定波長色の光が干渉散乱されている状態であり、黒の表示は、フォーカルコニック状態の透明なコレステリック液晶を透過して、黒色が表示されている状態である。
【００２４】
図７および図８は、コラムドライバ３１およびロウドライバ３２の動作を説明するためのタイミングチャートである。図７は、コレステリック液晶１に、図６に示されるような３×３の９画素の情報を表示させるために、コラムドライバ３１がコラム電極Ｘ１乃至Ｘ３に印加する両極性パルスの電圧とタイミング、および、ロウドライバ３２がロウ電極Ｙ１乃至Ｙ３に印加する両極性パルスの電圧とタイミングを説明するためのタイミングチャートであり、図８は、図７を用いて説明した印加電圧によって、３×３の９画素（Ｘ１，Ｙ１）乃至（Ｘ３，Ｙ３）の画素電極間（透明コラム電極１２と、透明ロウ電極１５との交点となる電極間）に印加される両極性パルスを説明するためのタイミングチャートである。
【００２５】
まず、現在保持されている情報をリセットするため、図７に示されるように、コラム電極Ｙ１乃至Ｙ３には、電圧Ｖ１の両極性パルスが印加され、ロウ電極Ｘ１乃至Ｘ３には、電圧−Ｖ２の両極性パルスが印加される。したがって、図８に示されるように、画素（Ｘ１，Ｙ１）乃至（Ｘ３，Ｙ３）に対応するそれぞれの画素電極間には、Ｖ１＋Ｖ２の両極性パルスが印加される。ここで、Ｖ１＋Ｖ２＞Ｖｐｓであるので、透明コラム電極１２と透明ロウ電極１５の２つの電極間のコレステリック液晶層１４は、プレーナ状態となり、特定波長光を干渉散乱する。すなわち、画素（Ｘ１，Ｙ１）乃至（Ｘ３，Ｙ３）は、全て特定波長色の表示となる（以下、全プレーナリセットと称する）。
【００２６】
その後、図７に示されるように、ロウドライバ３２は、ロウ電極Ｘ１から、順次、ロウ電極Ｘ２、ロウ電極Ｘ３と、電圧Ｖ３の両極性パルスを走査印加することで、いずれかのロウ電極を選択する。そして、コラムドライバ３１は、ロウ電極の選択タイミングに対応して、コラム電極Ｙ１乃至コラム電極Ｙ３に、選択的に逆特性の両極性パルス−Ｖ４を印加する。ここで、Ｖ３＋Ｖ４＞Ｖｆｓであり、Ｖ１＞Ｖ３かつＶ２＞Ｖ４であるものとする。
【００２７】
ロウ電極およびコラム電極に同一タイミングで両極性パルスが印加された画素電極に対応する（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素には、図８に示されるように、Ｖ３＋Ｖ４＞Ｖｆｓの両極性パルス電圧が印加されるので、対応する画素位置の透明コラム電極１２と透明ロウ電極１５の２つの電極間のコレステリック液晶層１４は、フォーカルコニック状態となり、透明となる。すなわち、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素は、黒で表示される。
【００２８】
また、Ｖ３＋Ｖ４＞Ｖｆｓであり、電圧値Ｖｐｓは、電圧値Ｖｆｓの、ほぼ２倍の電圧値であるので、Ｖ１＋Ｖ２＞Ｖ３＋Ｖ４が成立する。
【００２９】
このようにして、コレステリック液晶パネル１の表示を、一旦、全プレーナリセットした後、任意の画素を特定波長色から黒に反転して、情報を表示することが可能となる。
【発明の開示】
【発明が解決しようとする課題】
【００３０】
プレーナ状態に状態を変更するための両極性パルス電圧Ｖｐｓおよびフォーカルコニック状態に状態を変更するための両極性パルス電圧Ｖｆｓは、電極間のギャップ厚によって異なるが、例えば、ギャップ厚が５μｍである場合、Ｖｐｓ＝４０Ｖ、Ｖｆｓ＝２０Ｖ程度となる。すなわち、コレステリック液晶パネル１に所望の情報を表示させるためには、全ての画素位置に両極性パルス電圧Ｖｐｓ＝４０Ｖを印加して全プレーナリセットをした後、所望の画素位置に、フォーカルコニック状態に状態を変更するための両極性パルス電圧Ｖｆｓ＝２０Ｖを印加すれば良い。
【００３１】
しかしながら、全プレーナリセットを行う場合、リセット前の状態がプレーナ状態である画素位置とフォーカルコニック状態である画素位置とでは、全プレーナリセット後のコレステリック液晶の反射透過率が微妙に異なってしまう。そして、所望の画素位置に両極性パルス電圧Ｖｆｓを印加した場合、それらの画素は、均一なフォーカルコニック状態となることが望ましいのであるが、画素位置によって微妙に異なる反射透過率を有する状態のコレステリック液晶に対して両極性パルス電圧Ｖｆｓを印加しても、画素位置によってコレステリック液晶の反射透過率が微妙に異なってしまう。このため、コレステリック液晶パネル１の表示において、十分なコントラストを得ることができなかったり、均一な表示を行うことができない場合があった。
【００３２】
本発明はこのような状況に鑑みてなされたものであり、コレステリック液晶を用いた表示において、コントラストを向上させるとともに、均一に情報を表示することができるようにするものである。
【課題を解決するための手段】
【００３３】
本発明の表示装置は、第１の電極および第２の電極に電圧を印加することにより、コレステリック液晶の状態を変化させて情報を表示する表示手段と、第１の電極に両極性電圧を印加する第１の駆動手段と、第２の電極に、第１の電極に印加される両極性電圧とは逆特性の両極性電圧を印加する第２の駆動手段とを備える表示装置であって、コレステリック液晶の所定の画素位置の状態を所定の状態とするために、第１の駆動手段を制御して、第１の電極に両極性電圧を所定期間中に複数回印加させるとともに、第２の駆動手段を制御して、第２の電極に、第１の電極に印加される両極性電圧とは逆特性の両極性電圧を、第１の電極に両極性電圧が印加されるのと同一のタイミングで印加させる制御手段を備えることを特徴とする。
【００３４】
所定の状態は、リセット状態であるものとすることができ、制御手段には、コレステリック液晶の所定の画素の表示をリセットさせるために、第１の駆動手段を制御して、第１の電極に第１の両極性電圧を所定期間中に複数回印加させるとともに、第２の駆動手段を制御して、第２の電極に、第２の両極性電圧を、第１の電極に第１の両極性電圧が印加されるのと同一のタイミングで印加させるようにすることができる。
【００３５】
所定の状態は、情報表示のための状態であるものとすることができ、制御手段には、コレステリック液晶の所定の画素位置の状態を、リセット状態から情報表示のための状態に変化させるために、第１の駆動手段を制御して、第１の電極に、所定期間中に第１の両極性電圧を複数回印加させるとともに、第２の駆動手段を制御して、第２の電極に、第２の両極性電圧を、第１の電極に第１の両極性電圧が印加されるのと同一のタイミングで印加させるようにすることができる。
【００３６】
表示手段には、プレーナ状態において異なる波長帯域の光を反射する複数のコレステリック液晶を備えさせるようにすることができる。
【００３７】
本発明の表示方法は、第１の電極に第１の両極性電圧を第１の所定期間内に複数回印加するとともに、第２の電極に、第１の両極性電圧とは逆特性の第２の両極性電圧を、第１の電極に第１の両極性電圧が印加されるのと同一のタイミングで印加する第１の電圧印加ステップを含むことを特徴とする。
【００３８】
第１の電極に、第１の両極性電圧および第２の両極性電圧とは異なる第３の両極性電圧を、第１の所定期間とは異なる第２の所定期間内に１回印加するとともに、第２の電極に、第３の両極性電圧とは逆特性の第４の両極性電圧を、第１の電極に第３の両極性電圧が印加されるのと同一のタイミングで印加する第２の電圧印加ステップを更に含ませるようにすることができる。
【００３９】
第１の電極に、第１の両極性電圧および第２の両極性電圧とは異なる第３の両極性電圧を、第１の所定期間とは異なる第２の所定期間内に複数回印加するとともに、第２の電極に、第３の両極性電圧とは逆特性の第４の両極性電圧を、第１の電極に第３の両極性電圧が印加されるのと同一のタイミングで印加する第２の電圧印加ステップを更に含ませるようにすることができる。
【００４０】
本発明の表示装置および表示方法においては、第１の電極に両極性電圧を所定期間中に複数回印加させるとともに、第２の電極に、第１の電極に印加される両極性電圧とは逆特性の両極性電圧を、第１の電極に両極性電圧が印加されるのと同一のタイミングで印加させ、コレステリック液晶の状態を変化させて情報を表示させる。
【００４１】
本発明の液晶駆動回路は、第１の電極に両極性電圧を印加する第１の駆動手段と、第２の電極に、第１の電極に印加される両極性電圧とは逆特性の両極性電圧を印加する第２の駆動手段と、第１の駆動手段および第２の駆動手段の動作を制御する制御手段とを備え、制御手段は、コレステリック液晶の所定の画素位置の状態を所定の状態とするために、第１の駆動手段を制御して、第１の電極に両極性電圧を所定期間中に複数回印加させるとともに、第２の駆動手段を制御して、第２の電極に、第１の電極に印加される両極性電圧とは逆特性の両極性電圧を、第１の電極に両極性電圧が印加されるのと同一のタイミングで印加させることを特徴とする。
【００４２】
所定の状態は、リセット状態であるものとすることができ、制御手段には、コレステリック液晶の所定の画素の表示をリセットさせるために、第１の駆動手段を制御して、第１の電極に第１の両極性電圧を所定期間中に複数回印加させるとともに、第２の駆動手段を制御して、第２の電極に、第２の両極性電圧を、第１の電極に第１の両極性電圧が印加されるのと同一のタイミングで印加させるようにすることができる。
【００４３】
所定の状態は、情報表示のための状態であるものとすることができ、制御手段には、コレステリック液晶の所定の画素位置の状態を、リセット状態から情報表示のための状態に変化させるために、第１の駆動手段を制御して、第１の電極に、所定期間中に第１の両極性電圧を複数回印加させるとともに、第２の駆動手段を制御して、第２の電極に、第２の両極性電圧を、第１の電極に第１の両極性電圧が印加されるのと同一のタイミングで印加させるようにすることができる。
【００４４】
本発明の液晶駆動方法は、第１の電極に第１の両極性電圧を第１の所定期間内に複数回印加するとともに、第２の電極に、第１の両極性電圧とは逆特性の第２の両極性電圧を、第１の電極に第１の両極性電圧が印加されるのと同一のタイミングで印加する第１の電圧印加ステップを含むことを特徴とする。
【００４５】
第１の電極に、第１の両極性電圧および第２の両極性電圧とは異なる第３の両極性電圧を、第１の所定期間とは異なる第２の所定期間内に１回印加するとともに、第２の電極に、第３の両極性電圧とは逆特性の第４の両極性電圧を、第１の電極に第３の両極性電圧が印加されるのと同一のタイミングで印加する第２の電圧印加ステップを更に含ませるようにすることができる。
【００４６】
第１の電極に、第１の両極性電圧および第２の両極性電圧とは異なる第３の両極性電圧を、第１の所定期間とは異なる第２の所定期間内に複数回印加するとともに、第２の電極に、第３の両極性電圧とは逆特性の第４の両極性電圧を、第１の電極に第３の両極性電圧が印加されるのと同一のタイミングで印加する第２の電圧印加ステップを更に含ませるようにすることができる。
【００４７】
本発明の液晶駆動装置および液晶駆動方法においては、第１の電極に両極性電圧を所定期間中に複数回印加させるとともに、第２の電極に、第１の電極に印加される両極性電圧とは逆特性の両極性電圧を、第１の電極に両極性電圧が印加されるのと同一のタイミングで印加させる。
【発明の効果】
【００４８】
本発明によれば、コレステリック液晶の状態が変化されて情報が表示され、特に、表示のコントラストおよび均一性を向上させるようにすることができる。
【００４９】
また、他の本発明によれば、コレステリック液晶の状態を変化させて情報が表示されるように液晶を駆動することができ、特に、表示のコントラストおよび均一性が向上されるように液晶を駆動することができる。
【発明を実施するための最良の形態】
【００５０】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００５１】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００５２】
請求項１に記載の表示装置（例えば、図９に示されるコレステリック液晶パネル１および液晶駆動回路４１により構成される表示装置）は、第１の電極（例えば、透明コラム電極１２）および第２の電極（例えば、透明ロウ電極１５）に電圧を印加することにより、コレステリック液晶の状態を変化させて情報を表示する表示手段（例えば、図９のコレステリック液晶パネル１）と、第１の電極に両極性電圧を印加する第１の駆動手段（例えば、図９のコラムドライバ５２）と、第２の電極に、第１の電極に印加される両極性電圧とは逆特性の両極性電圧を印加する第２の駆動手段（例えば、図９のロウドライバ５３）とを備える表示装置であって、コレステリック液晶の所定の画素位置の状態を所定の状態とするために、第１の駆動手段を制御して、第１の電極に両極性電圧を所定期間中に複数回印加させるとともに、第２の駆動手段を制御して、第２の電極に、第１の電極に印加される両極性電圧とは逆特性の両極性電圧を、第１の電極に両極性電圧が印加されるのと同一のタイミングで印加させる制御手段（例えば、図９のコントローラ５１）を備えることを特徴とする。
【００５３】
請求項２に記載の表示装置では、所定の状態は、リセット状態（例えば、全プレーナリセット）であり、制御手段は、コレステリック液晶の所定の画素の表示をリセットさせるために、第１の駆動手段を制御して、第１の電極に第１の両極性電圧（例えば、Ｖ１＋Ｖ２＞Ｖｐｓを満たす電圧値Ｖ１）を所定期間中に複数回印加させるとともに、第２の駆動手段を制御して、第２の電極に、第２の両極性電圧（例えば、Ｖ１＋Ｖ２＞Ｖｐｓを満たす電圧値−Ｖ２）を、第１の電極に第１の両極性電圧が印加されるのと同一のタイミングで印加させることを特徴とする。
【００５４】
請求項３に記載の表示装置では、所定の状態は、情報表示のための状態（フォーカルコニック状態）であり、制御手段は、コレステリック液晶の所定の画素位置の状態を、リセット状態（プレーナ状態）から情報表示のための状態に変化させるために、第１の駆動手段を制御して、第１の電極に、所定期間中に第１の両極性電圧（例えば、Ｖ３＋Ｖ４＞Ｖｆｓを満たす電圧値Ｖ３）を複数回印加させるとともに、第２の駆動手段を制御して、第２の電極に、第２の両極性電圧（例えば、Ｖ３＋Ｖ４＞Ｖｆｓを満たす電圧値−Ｖ４）を、第１の電極に第１の両極性電圧が印加されるのと同一のタイミングで印加させることを特徴とする。
【００５５】
請求項５に記載の表示方法は、第１の電極（例えば、透明コラム電極１２）および第２の電極（例えば、透明ロウ電極１５）に電圧を印加することにより、コレステリック液晶に情報を表示する表示部（例えば、図９のコレステリック液晶パネル１）を備える表示装置の表示方法であって、第１の電極に第１の両極性電圧を第１の所定期間内に複数回印加するとともに、第２の電極に、第１の両極性電圧とは逆特性の第２の両極性電圧を、第１の電極に第１の両極性電圧が印加されるのと同一のタイミングで印加する第１の電圧印加ステップ（図１２のステップＳ２、図１５のステップＳ１１、もしくは、図１８のステップＳ２１またはステップＳ２２の処理）を含むことを特徴とする。
【００５６】
請求項６に記載の表示方法は、第１の電極（例えば、透明コラム電極１２）に、第１の両極性電圧および第２の両極性電圧とは異なる第３の両極性電圧を、第１の所定期間とは異なる第２の所定期間内に１回印加するとともに、第２の電極に、第３の両極性電圧とは逆特性の第４の両極性電圧を、第１の電極に第３の両極性電圧が印加されるのと同一のタイミングで印加する第２の電圧印加ステップ（図１２のステップＳ１、または、図１５のステップＳ１２の処理）を更に含むことを特徴とする。
【００５７】
請求項７に記載の表示方法は、第１の電極（例えば、透明コラム電極１２）に、第１の両極性電圧および第２の両極性電圧とは異なる第３の両極性電圧を、第１の所定期間とは異なる第２の所定期間内に複数回印加するとともに、第２の電極に、第３の両極性電圧とは逆特性の第４の両極性電圧を、第１の電極に第３の両極性電圧が印加されるのと同一のタイミングで印加する第２の電圧印加ステップ（図１８のステップＳ２１またはステップＳ２２の処理）を更に含むことを特徴とする。
【００５８】
請求項８に記載の液晶駆動回路（例えば、図９の液晶駆動回路４１）は、第１の電極および第２の電極に電圧を印加することにより、コレステリック液晶により構成される液晶表示素子（例えば、図９のコレステリック液晶パネル１）を駆動する液晶駆動回路であって、第１の電極に両極性電圧を印加する第１の駆動手段（例えば、図９のコラムドライバ５２）と、第２の電極に、第１の電極に印加される両極性電圧とは逆特性の両極性電圧を印加する第２の駆動手段（例えば、図９のロウドライバ５３）と、第１の駆動手段および第２の駆動手段の動作を制御する制御手段（例えば、図９のコントローラ５１）とを備え、制御手段は、コレステリック液晶の所定の画素位置の状態を所定の状態とするために、第１の駆動手段を制御して、第１の電極に両極性電圧を所定期間中に複数回印加させるとともに、第２の駆動手段を制御して、第２の電極に、第１の電極に印加される両極性電圧とは逆特性の両極性電圧を、第１の電極に両極性電圧が印加されるのと同一のタイミングで印加させることを特徴とする。
【００５９】
請求項９に記載の液晶駆動回路では、所定の状態は、リセット状態（例えば、全プレーナリセット）であり、制御手段は、コレステリック液晶の所定の画素の表示をリセットさせるために、第１の駆動手段を制御して、第１の電極に第１の両極性電圧（例えば、Ｖ１＋Ｖ２＞Ｖｐｓを満たす電圧値Ｖ１）を所定期間中に複数回印加させるとともに、第２の駆動手段を制御して、第２の電極に、第２の両極性電圧（例えば、Ｖ１＋Ｖ２＞Ｖｐｓを満たす電圧値−Ｖ２）を、第１の電極に第１の両極性電圧が印加されるのと同一のタイミングで印加させることを特徴とする。
【００６０】
請求項１０に記載の液晶駆動回路では、所定の状態は、情報表示のための状態（フォーカルコニック状態）であり、制御手段は、コレステリック液晶の所定の画素位置の状態を、リセット状態（プレーナ状態）から情報表示のための状態に変化させるために、第１の駆動手段を制御して、第１の電極に、所定期間中に第１の両極性電圧（例えば、Ｖ３＋Ｖ４＞Ｖｆｓを満たす電圧値Ｖ３）を複数回印加させるとともに、第２の駆動手段を制御して、第２の電極に、第２の両極性電圧（例えば、Ｖ３＋Ｖ４＞Ｖｆｓを満たす電圧値−Ｖ４）を、第１の電極に第１の両極性電圧が印加されるのと同一のタイミングで印加させることを特徴とする。
【００６１】
請求項１１に記載の液晶駆動方法は、第１の電極（例えば、透明コラム電極１２）および第２の電極（例えば、透明ロウ電極１５）に電圧を印加することにより、コレステリック液晶により構成される液晶表示素子（例えば、図９のコレステリック液晶パネル１）を駆動する液晶駆動回路（例えば、図９の液晶駆動回路４１）の液晶駆動方法であって、第１の電極に第１の両極性電圧を第１の所定期間内に複数回印加するとともに、第２の電極に、第１の両極性電圧とは逆特性の第２の両極性電圧を、第１の電極に第１の両極性電圧が印加されるのと同一のタイミングで印加する第１の電圧印加ステップ（図１２のステップＳ２、図１５のステップＳ１１、もしくは、図１８のステップＳ２１またはステップＳ２２の処理）を含むことを特徴とする。
【００６２】
請求項１２に記載の液晶駆動方法は、第１の電極（例えば、透明コラム電極１２）に、第１の両極性電圧および第２の両極性電圧とは異なる第３の両極性電圧を、第１の所定期間とは異なる第２の所定期間内に１回印加するとともに、第２の電極に、第３の両極性電圧とは逆特性の第４の両極性電圧を、第１の電極に第３の両極性電圧が印加されるのと同一のタイミングで印加する第２の電圧印加ステップ（図１２のステップＳ１、または、図１５のステップＳ１２の処理）を更に含むことを特徴とする。
【００６３】
請求項１３に記載の液晶駆動方法は、第１の電極（例えば、透明コラム電極１２）に、第１の両極性電圧および第２の両極性電圧とは異なる第３の両極性電圧を、第１の所定期間とは異なる第２の所定期間内に複数回印加するとともに、第２の電極に、第３の両極性電圧とは逆特性の第４の両極性電圧を、第１の電極に第３の両極性電圧が印加されるのと同一のタイミングで印加する第２の電圧印加ステップ（図１８のステップＳ２１またはステップＳ２２の処理）を更に含むことを特徴とする。
【００６４】
以下、図を参照して、本発明の実施の形態について説明する。
【００６５】
図９は、コレステリック液晶パネル１を駆動するための、本発明を適用した液晶駆動回路４１の構成を示すブロック図である。コレステリック液晶パネル１と、液晶駆動回路４１と、図示しない電源供給部（例えば、バッテリなど）によって、液晶表示装置が構成される。
【００６６】
なお、従来の場合と対応する部分には同一の符号を付してあり、その説明は適宜省略する。
【００６７】
コレステリック液晶パネル１は、図１乃至図４を用いて説明した、従来のコレステリック液晶パネルと同様のものである。
【００６８】
すなわち、コレステリック液晶パネル１においては、画素電極間の電位差が、Ｖｐｓ以上となるような両極性パルスが印加された場合、その画素位置に対応する部分のコレステリック液晶がプレーナ状態となることにより、対応する画素が、プレーナ状態において反射される波長帯域に基づいて決定される第１の色で表示される。また、コレステリック液晶パネル１においては、画素電極間の電位差が、Ｖｆｓ以上となるような両極性パルスが印加された場合、その画素位置に対応する部分のコレステリック液晶がフォーカルコニック状態となることにより、対応する画素が、液晶を透過して見える第２の色で表示される。
【００６９】
ここでは、コレステリック液晶パネル１において、例えば、コレステリック液晶が、プレーナ状態において特定波長色の光を乱反射するようにし、コレステリック液晶層１４の下を黒色にして、透明状態において、その黒色が透過して見えるようにすることにより、特定波長色と黒のモノトーン表示を行うものとして説明するが、プレーナ状態において反射される波長帯域に基づいて決定される第１の色、すなわち、特定波長色は、例えば、緑、青、赤など、どのような色であってもかまわないし、液晶を透過して見える第２の色も、いずれの色であってもかまわない。
【００７０】
更に、プレーナ状態において、それぞれ異なる波長帯域を反射する複数のコレステリック液晶層１４を設けることなどにより、コレステリック液晶パネル１を用いて、多色の表示を可能とすることができるようにしても良いことは言うまでもない。
【００７１】
また、図３に示されるように、コレステリック液晶の状態をプレーナ状態に変化させるために必要な両極性パルス電圧の電圧値Ｖｐｓは、フォーカルコニック状態に変化させるために必要な両極性パルス電圧の電圧値Ｖｆｓの、ほぼ２倍の電圧値である。
【００７２】
コレステリック液晶パネル１は、例えば、パネルの全面に電圧値Ｖｐｓの両極性パルスを印加することにより、表示面全体をプレーナ状態として、表示されている情報をリセット（全プレーナリセット）した後、必要な位置の画素電極に電圧値Ｖｆｓの両極性パルスを印加して、フォーカルコニック状態に状態を変化させることにより、所定の情報を表示し、その後、電圧をかけないことにより、表示された情報を保持することができるようになされている。
【００７３】
コントローラ５１は、コラムドライバ５２およびロウドライバ５３を制御するとともに、コラムドライバ５２にクロック（ＣＬＫ）信号およびコレステリック液晶パネル１に表示させる情報を示すデータ（ＤＡＴＡ）を供給し、ロウドライバ５３にクロック（ＣＬＫ）信号を供給する。
【００７４】
コラムドライバ５２は、コントローラ５１より、クロック（ＣＬＫ）信号およびコレステリック液晶パネル１に情報を表示させるためのデータ（ＤＡＴＡ）信号の供給を受けるとともに、駆動電圧±Ｖ２および基準電圧ＧＮＤと接続され、コントローラ５１の制御にしたがって、コレステリック液晶パネル１の透明コラム電極１２のコラム（信号）電極Ｙ１乃至Ｙｎに、図１０、図１３、および、図１６を用いて後述する所定のタイミングで、所定の電圧を印加するドライバである。
【００７５】
ロウドライバ５３は、コントローラ５１より、クロック（ＣＬＫ）信号の供給を受けるとともに、駆動電圧±Ｖ１および基準電圧ＧＮＤと接続され、コントローラ５１の制御にしたがって、コレステリック液晶パネル１の透明ロウ電極１５のロウ（走査）電極Ｘ１乃至Ｘｍに、図１０、図１３、および、図１６を用いて後述する所定のタイミングで、所定の電圧を印加するドライバである。
【００７６】
また、コントローラ５１には、必要に応じて、ドライブ５４が接続される。ドライブ５４には、磁気ディスク６１、光ディスク６２、光磁気ディスク６３、または、半導体メモリ６４が装着され、情報を授受できるようになされている。
【００７７】
次に、図１０乃至図１２を用いて、本発明の第１の実施の形態について説明する。図１０および図１１は、コレステリック液晶１に、現在表示されている情報を全プレーナリセットさせた後、図６に示されるような、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒であり、他の画素が特定波長色である、３×３の９画素を表示させる場合の、コラムドライバ５２およびロウドライバ５３の動作を説明するための第１の実施の形態におけるタイミングチャートである。
【００７８】
図１０は、コレステリック液晶１に、現在表示されている情報を全プレーナリセットさせた後、図６に示されるような３×３の９画素の情報を均一に表示させるために、コラムドライバ５２がコラム電極Ｘ１乃至Ｘ３に印加する両極性パルスの電圧とタイミング、および、ロウドライバ５３がロウ電極Ｙ１乃至Ｙ３に印加する両極性パルスの電圧とタイミングについて説明するためのタイミングチャートであり、図１１は、図１０を用いて説明した印加電圧によって、３×３の９画素（Ｘ１，Ｙ１）乃至（Ｘ３，Ｙ３）の、それぞれに印加される両極性パルスを説明するためのタイミングチャートである。
【００７９】
現在保持されている情報をリセットするためには、画素（Ｘ１，Ｙ１）乃至（Ｘ３，Ｙ３）のそれぞれに、Ｖｐｓ以上の電圧の両極性パルスが印加されなければならない。ロウドライバ５３は、コントローラ５１の制御に基づいて、ロウ電極Ｘ１乃至Ｘ３に、所定の時間幅で、電圧Ｖ１の両極性パルスを印加し、コラムドライバ５２は、コントローラ５１の制御に基づいて、コラム電極Ｙ１乃至Ｙ３に、所定の時間幅で、電圧−Ｖ２の両極性パルスを印加する。
【００８０】
これにより、図１１に示されるように、画素（Ｘ１，Ｙ１）乃至（Ｘ３，Ｙ３）のそれぞれに対応する画素電極間には、Ｖ１＋Ｖ２の両極性パルスが印加される。ここで、Ｖ１＋Ｖ２＞Ｖｐｓであるので、対応する画素位置の透明コラム電極１２と透明ロウ電極１５の２つの電極間のコレステリック液晶層１４は、プレーナ状態となり、特定波長光を干渉散乱する。すなわち、画素（Ｘ１，Ｙ１）乃至（Ｘ３，Ｙ３）の表示は、全て特定波長色となり、全プレーナリセット状態となる。
【００８１】
そして、全プレーナ状態の画素（Ｘ１，Ｙ１）乃至（Ｘ３，Ｙ３）のうちの所望の画素に選択的に両極性電圧Ｖｆｓ画印加されてフォーカルコニック状態に状態が遷移されることにより、コレステリック液晶パネル１に所望の情報が表示される。しかしながら、全プレーナ状態の画素（Ｘ１，Ｙ１）乃至（Ｘ３，Ｙ３）は、全プレーナリセット状態となる前の状態が、プレーナ状態であったか、フォーカルコニック状態であったかによって、フォーカルコニック状態に状態が遷移されたときの光の反射透過率が均一ではない。
【００８２】
そこで、その後、ロウドライバ５３は、コントローラ５１の制御に基づいて、図１０に示されるように、ロウ電極Ｘ１から、ロウ電極Ｘ２、ロウ電極Ｘ３と、順次、電圧Ｖ３の両極性パルスを走査印加する場合、いずれのロウ電極を選択するときも、所定の時間内に複数回（図１０においては、所定の時間内に２回）両極性電圧３Ｖを印加する。そして、コラムドライバ５２は、コントローラ５１の制御に基づいて、図１０に示されるように、ロウ電極の選択タイミングに対応して、コラム電極Ｙ１乃至コラム電極Ｙ３に、選択的に、逆特性の両極性パルス−Ｖ４を印加する。
【００８３】
具体的には、コラムドライバ５２は、ロウ電極Ｘ１が選択され、所定の時間内に複数回（図１０においては、所定の時間内に２回）両極性電圧３Ｖが印加されているとき、コラム電極Ｙ１およびコラム電極Ｙ２に逆特性の両極性パルス−Ｖ４をロウ電極Ｘ１に与えられている選択パルスと同一のタイミングで印加し、ロウ電極Ｘ２が選択され、所定の時間内に複数回（図１０においては、所定の時間内に２回）両極性電圧３Ｖが印加されているとき、コラム電極Ｙ２およびコラム電極Ｙ３に逆特性の両極性パルス−Ｖ４をロウ電極Ｘ２に与えられている選択パルスと同一のタイミングで印加し、ロウ電極Ｘ３が選択され、所定の時間内に複数回（図１０においては、所定の時間内に２回）両極性電圧３Ｖが印加されているとき、コラム電極Ｙ２およびコラム電極Ｙ３に逆特性の両極性パルス−Ｖ４をロウ電極Ｘ３に与えられている選択パルスと同一のタイミングで印加する。
【００８４】
ロウ電極およびコラム電極に同一タイミングで両極性パルスが印加された画素電極間には、図１１に示されるように、Ｖ３＋Ｖ４＞Ｖｆｓの両極性パルス電圧が所定の期間に複数回（図１１においては２回）印加されるので、対応する画素位置の透明コラム電極１２と透明ロウ電極１５の２つの電極間のコレステリック液晶層１４は、全プレーナリセット前の状態にかかわらず、均一なフォーカルコニック状態となり、透明（均一な透過率を有する状態）となる。すなわち、選択された、（Ｘ１，Ｙ１）（Ｘ１，Ｙ２）（Ｘ２，Ｙ２）（Ｘ２，Ｙ３）（Ｘ３，Ｙ２）および（Ｘ３，Ｙ３）の６画素は、均一な黒で表示され、他の画素の表示は、特定波長色のままとなる。
【００８５】
なお、図１０および図１１においては、所定期間における時間内の繰り返しの電圧印加回数を２回として図示しているが、所定期間における時間内の繰り返しの電圧印加回数は、２回以上のいずれの回数であっても良いことは言うまでもない。また、状態をフォーカルコニック状態とするために繰り返し与えられる電圧の電圧値は、フォーカルコニック状態とされた画素の光の透過率を一定とするために、同一であることが望ましい。
【００８６】
ここで、所定の期間の時間幅は、情報の表示に必要な速度と、液晶の駆動に必要な時間によって適宜決められるものであり、液晶の状態をフォーカルコニック状態に変更させるために所定の時間幅に何回の両極性電圧を印加させることができるのかは、液晶の電圧に対する反応速度によって決まる。すなわち、所定の時間内に何回も両極性電圧を印加させるために、１回の電圧の印加時間を極端に短くした場合、液晶が印加電圧に反応することができず、状態が遷移されない。液晶が反応するために必要な電圧印加時間は、液晶の粘性や、液晶のギャップ厚によって異なる。
【００８７】
また、均一な表示を実現するためには、所定期間幅に与えられる両極性電圧の繰り返しの印加回数を増やすほうが良く、そのためには、所定の時間幅を長く設定すると好適であるが、所定の時間幅を長くした場合、情報の表示完了速度が遅くなってしまう。このため、所定の時間幅と電圧の繰り返し印加回数は、求められる表示性能によって、適宜設定されることが好ましい。
【００８８】
本発明を適用した液晶駆動回路４１において、第１の実施の形態のようにして両極性パルスを印加するようにした場合、フォーカルコニック状態の遷移のための両極性電圧を、所定の時間に複数回印加するようにすることにより、全プレーナリセット前の状態にかかわらず、所望の画素を均一な黒（または他の指定色）で表示させ、他の画素の表示は、プレーナ状態において反射される特定波長色のままとすることが可能となるため、表示される情報の均一性が向上する。
【００８９】
このようにして、本発明を適用した液晶駆動回路４１を備える液晶表示装置においては、画素ごとのリセット前の状態によらず、任意の画素の表示色を、プレーナ状態において反射される特定波長色から均一な黒（または他の所定の色）に反転することが可能となる。
【００９０】
次に、図１２のフローチャートを参照して、本発明を適用した液晶表示装置の液晶駆動回路４１の処理１について説明する。
【００９１】
ステップＳ１において、コントローラ５１は、コラムドライバ５２を制御し、コラム電極Ｙ１乃至Ｙ３に、電圧Ｖ１の両極性パルスを印加させ、ロウドライバ５３を制御し、ロウ電極Ｘ１乃至Ｘ３に、電圧−Ｖ２の両極性パルスを印加させる。このことにより、全プレーナリセットが実行される。
【００９２】
ステップＳ２において、コントローラ５１は、ロウドライバ５３を制御し、ロウ電極に選択電圧３Ｖを所定期間中にそれぞれＴ回走査印加させるとともに、コラムドライバ５２を制御し、コラム電極に逆特性の両極性パルス−４Ｖを所定期間中にそれぞれＴ回、ロウ電極への走査印加のタイミングとあわせて、選択的に印加させて、コレステリック液晶パネルを駆動させ、所望の画素位置の液晶のみをフォーカルコニック状態に変化させることにより、所望の情報を表示させて、処理が終了される。
【００９３】
例えば、図１０を用いて説明したタイミングで、コラムドライバ５２から、コレステリック液晶パネル１の透明コラム電極１２のコラム電極Ｙ１乃至Ｙ３に電圧が印加され、ロウドライバ５３から、透明ロウ電極１５のロウ電極Ｘ１乃至Ｘ３に電圧が印加された場合、画素（Ｘ１，Ｙ１）乃至（Ｘ３，Ｙ３）に対応するそれぞれの画素電極には、図１１に示される両極性パルス電圧が印加される。したがって、コレステリック液晶パネル１の３×３の９画素は、全プレーナリセットされた後、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素に対して、２回、フォーカルコニック状態に状態を遷移させるための両極性パルスが印加されるため、対応する画素位置の液晶が、従来における場合よりも均一な透明度を有するようになる。したがって、ユーザの所望の画素が、均一な黒（または他の所定の色）で表示され、他の画素が、プレーナ状態において反射される特定波長色で表示される。
【００９４】
このような処理により、一度表示させた情報を、電源供給することなく保持することが可能なコレステリック液晶を利用した液晶表示装置において、任意の画素を、画素ごとのリセット前の状態によらず、特定波長色から均一な他の色に変更することが可能となる。
【００９５】
次に、図１３乃至図１５を用いて、本発明の第２の実施の形態について説明する。
【００９６】
図１３および図１４は、コレステリック液晶１に、現在表示されている情報を全プレーナリセットさせた後、図６に示されるような、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒であり、他の画素が特定波長色である、３×３の９画素を表示させる場合の、コラムドライバ５２およびロウドライバ５３の動作を説明するための第２の実施の形態におけるタイミングチャートである。
【００９７】
図１３は、コレステリック液晶１に、現在表示されている情報を全プレーナリセットさせた後、図６に示されるような３×３の９画素の情報を表示させるために、コラムドライバ５２がコラム電極Ｘ１乃至Ｘ３に印加する両極性パルスの電圧とタイミング、および、ロウドライバ５３がロウ電極Ｙ１乃至Ｙ３に印加する両極性パルスの電圧とタイミングについて説明するためのタイミングチャートであり、図１４は、図１３を用いて説明した印加電圧によって、３×３の９画素（Ｘ１，Ｙ１）乃至（Ｘ３，Ｙ３）の、それぞれに印加される両極性パルスを説明するためのタイミングチャートである。
【００９８】
現在保持されている情報をリセットするためには、画素（Ｘ１，Ｙ１）乃至（Ｘ３，Ｙ３）のそれぞれに、Ｖｐｓ以上の電圧の両極性パルスが印加されなければならない。ここで、図７および図８を用いて説明した従来における場合のように、所定期間内に１回の両極性パルスを与えることにより全プレーナリセットを行っても、リセット前の状態によって、本来光を透過しないはずのプレーナ状態の液晶の透過率が微妙に異なってしまう。そこで、ロウドライバ５３は、コントローラ５１の制御に基づいて、ロウ電極Ｘ１乃至Ｘ３に、所定の時間幅内で複数回（図１３においては２回）、電圧Ｖ１の両極性パルスを印加し、コラムドライバ５２は、コントローラ５１の制御に基づいて、コラム電極Ｙ１乃至Ｙ３に、所定の時間幅内で複数回（図１３においては２回）、ロウ電極への電圧の印加と同一のタイミングで、電圧−Ｖ２の両極性パルスを印加する。
【００９９】
これにより、図１４に示されるように、画素（Ｘ１，Ｙ１）乃至（Ｘ３，Ｙ３）のそれぞれに対応する画素電極間には、Ｖ１＋Ｖ２の両極性パルスが所定期間内に２回印加される。ここで、Ｖ１＋Ｖ２＞Ｖｐｓであるので、対応する画素位置の透明コラム電極１２と透明ロウ電極１５の２つの電極間のコレステリック液晶層１４は、それぞれの画素位置が、リセット前にプレーナ状態であったか、フォーカルコニック状態であったかにかかわらず、より均一な反射率を有するプレーナ状態となり、特定波長光を干渉散乱する。すなわち、画素（Ｘ１，Ｙ１）乃至（Ｘ３，Ｙ３）の表示は、全て特定波長色となり、均一な全プレーナリセット状態となる。
【０１００】
その後、ロウドライバ５３は、コントローラ５１の制御に基づいて、図１３に示されるように、ロウ電極Ｘ１から、ロウ電極Ｘ２、ロウ電極Ｘ３と、順次、電圧Ｖ３の両極性パルスを走査印加することで、いずれかのロウ電極を選択する。そして、コラムドライバ５２は、コントローラ５１の制御に基づいて、図１３に示されるように、ロウ電極の選択タイミングに対応して、コラム電極Ｙ１乃至コラム電極Ｙ３に、選択的に、逆特性の両極性パルス−Ｖ４を印加する。具体的には、コラムドライバ５２は、ロウ電極Ｘ１が選択されているとき、コラム電極Ｙ１およびコラム電極Ｙ２に逆特性の両極性パルス−Ｖ４を印加し、ロウ電極Ｘ２が選択されているとき、コラム電極Ｙ２およびコラム電極Ｙ３に逆特性の両極性パルス−Ｖ４を印加し、ロウ電極Ｘ３が選択されているとき、コラム電極Ｙ２およびコラム電極Ｙ３に逆特性の両極性パルス−Ｖ４を印加する。
【０１０１】
ロウ電極およびコラム電極に同一タイミングで両極性パルスが印加された画素電極間には、図１４に示されるように、Ｖ３＋Ｖ４＞Ｖｆｓの両極性パルス電圧が印加されるので、対応する画素位置の透明コラム電極１２と透明ロウ電極１５の２つの電極間のコレステリック液晶層１４は、フォーカルコニック状態となり、透明となる。すなわち、選択された、（Ｘ１，Ｙ１）（Ｘ１，Ｙ２）（Ｘ２，Ｙ２）（Ｘ２，Ｙ３）（Ｘ３，Ｙ２）および（Ｘ３，Ｙ３）の６画素は、黒で表示され、他の画素の表示は、特定波長色のままとなる。
【０１０２】
ここでも、所定の期間の時間幅は、情報の表示に必要な速度と、液晶の駆動に必要な時間によって適宜決められるものであり、全ての画素に対応する液晶の状態をプレーナ状態に変更させて全プレーナリセットを行うために所定の時間幅に何回の両極性電圧を印加させることができるのかは、液晶の電圧に対する反応速度によって決まる。すなわち、所定の時間内に何回も両極性電圧を印加させるために、１回の電圧の印加時間を極端に短くした場合、液晶が印加電圧に反応することができず、状態が遷移されない。液晶が反応するために必要な電圧印加時間は、液晶の粘性や、液晶のギャップ厚によって異なる。また、膳プレーナリセットを行うために繰り返し与えられる電圧の電圧値は、リセットされた表示画面の光の反射率を一定とするために、同一であることが望ましい。
【０１０３】
本発明を適用した液晶駆動回路４１において、第２の実施の形態のようにして両極性パルスを印加するようにした場合、全プレーナリセットにおいて、画素ごとのリセット前の状態にかかわらず、均一な状態に表示をリセットすることが可能となり、従来と比較して、表示のコントラストを向上させることが可能となる。
【０１０４】
次に、図１５のフローチャートを参照して、本発明を適用した液晶表示装置の液晶駆動回路４１の処理２について説明する。
【０１０５】
ステップＳ１１において、コントローラ５１は、コラムドライバ５２を制御し、コラム電極Ｙ１乃至Ｙ３に、電圧Ｖ１の両極性パルスを所定期間中にＴ回印加させ、ロウドライバ５３を制御し、ロウ電極Ｘ１乃至Ｘ３に、電圧−Ｖ２の両極性パルスを所定期間中にＴ回印加させる。このことにより、全プレーナリセットが実行される。
【０１０６】
ステップＳ１２において、コントローラ５１は、ロウドライバ５３を制御し、ロウ電極に選択電圧３Ｖを走査印加させるとともに、コラムドライバ５２を制御し、コラム電極に逆特性の両極性パルス−４Ｖを、ロウ電極への走査印加のタイミングとあわせて、選択的に印加させて、コレステリック液晶パネルを駆動させ、所望の画素位置の液晶のみをフォーカルコニック状態に変化させることにより、所望の情報を表示させて、処理が終了される。
【０１０７】
例えば、図１４を用いて説明したタイミングで、コラムドライバ５２から、コレステリック液晶パネル１の透明コラム電極１２のコラム電極Ｙ１乃至Ｙ３に電圧が印加され、ロウドライバ５３から、透明ロウ電極１５のロウ電極Ｘ１乃至Ｘ３に電圧が印加された場合、画素（Ｘ１，Ｙ１）乃至（Ｘ３，Ｙ３）に対応するそれぞれの画素電極には、全プレーナリセット時に、図１５に示されるように、所定の時間内に２回の両極性パルス電圧が印加される。したがって、コレステリック液晶パネル１の３×３の９画素は、全画素位置において均一な反射率になるように全プレーナリセットされた後、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素に対して、フォーカルコニック状態に状態を遷移させるための両極性パルスが印加されるため、対応する画素が透明度を有する。したがって、ユーザの所望の画素が、黒などの所定の色で表示され、他の画素が、プレーナ状態において反射される均一な特定波長色で表示される。
【０１０８】
このような処理により、一度表示させた情報を、電源供給することなく保持することが可能なコレステリック液晶を利用した液晶表示装置において、より均一な状態に表示をリセットすることが可能となる。
【０１０９】
次に、図１６乃至図１８を用いて、本発明の第３の実施の形態について説明する。
【０１１０】
図１６および図１７は、コレステリック液晶１に、現在表示されている情報を全プレーナリセットさせた後、図６に示されるような、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒であり、他の画素が特定波長色である、３×３の９画素を表示させる場合の、コラムドライバ５２およびロウドライバ５３の動作を説明するための第３の実施の形態におけるタイミングチャートである。
【０１１１】
図１６は、コレステリック液晶１に、現在表示されている情報を全プレーナリセットさせた後、図６に示されるような３×３の９画素の情報を表示させるために、コラムドライバ５２がコラム電極Ｘ１乃至Ｘ３に印加する両極性パルスの電圧とタイミング、および、ロウドライバ５３がロウ電極Ｙ１乃至Ｙ３に印加する両極性パルスの電圧とタイミングについて説明するためのタイミングチャートであり、図１７は、図１６を用いて説明した印加電圧によって、３×３の９画素（Ｘ１，Ｙ１）乃至（Ｘ３，Ｙ３）の、それぞれに印加される両極性パルスを説明するためのタイミングチャートである。
【０１１２】
第１の実施の形態においては、全プレーナリセットされた画素のうち所望の画素をフォーカルコニック状態にするために各電極間に印加する両極性電圧を、第２の実施の形態においては、全プレーナリセットを実行するために全画素の電極間に印加する両極性電圧を、それぞれ、所定期間内に複数回印加させるようにするようにすることにより、コレステリック液晶１において、均一でコントラストの高い表示を行うことができるようになされていた。そこで、第３の実施の形態においては、現在保持されている情報をリセットするために、画素（Ｘ１，Ｙ１）乃至（Ｘ３，Ｙ３）のそれぞれに印加されるＶｐｓ以上の電圧の両極性パルスと、所望の画素の状態を変化させることによって所望の情報を表示させるために所定の画素に印加されるＶｆｓの両極性パルス電圧を、いずれも所定期間内に複数回印加させるようにすることにより、コレステリック液晶１に表示される情報のコントラストや表示の均一性を更に高めることができるようになされている。
【０１１３】
すなわち、現在保持されている情報をリセットするためには、画素（Ｘ１，Ｙ１）乃至（Ｘ３，Ｙ３）のそれぞれに、Ｖｐｓ以上の電圧の両極性パルスが印加されなければならない。そこで、ロウドライバ５３は、コントローラ５１の制御に基づいて、ロウ電極Ｘ１乃至Ｘ３に、所定の時間幅内で複数回（図１６においては２回）、電圧Ｖ１の両極性パルスを印加し、コラムドライバ５２は、コントローラ５１の制御に基づいて、コラム電極Ｙ１乃至Ｙ３に、所定の時間幅内で複数回（図１６においては２回）、ロウ電極への電圧の印加と同一のタイミングで、電圧−Ｖ２の両極性パルスを印加する。
【０１１４】
これにより、図１７に示されるように、画素（Ｘ１，Ｙ１）乃至（Ｘ３，Ｙ３）のそれぞれに対応する画素電極間には、Ｖ１＋Ｖ２の両極性パルスが所定期間内に２回印加される。ここで、Ｖ１＋Ｖ２＞Ｖｐｓであるので、対応する画素位置の透明コラム電極１２と透明ロウ電極１５の２つの電極間のコレステリック液晶層１４は、より均一なプレーナ状態となり、特定波長光を干渉散乱する。すなわち、画素（Ｘ１，Ｙ１）乃至（Ｘ３，Ｙ３）の表示は、全て特定波長色となり、均一な全プレーナリセット状態となる。
【０１１５】
その後、ロウドライバ５３は、コントローラ５１の制御に基づいて、図１６に示されるように、ロウ電極Ｘ１から、ロウ電極Ｘ２、ロウ電極Ｘ３と、順次、電圧Ｖ３の両極性パルスを所定期間内に複数回（図１６においては２回）走査印加することで、いずれかのロウ電極を選択する。そして、コラムドライバ５２は、コントローラ５１の制御に基づいて、図１６に示されるように、ロウ電極の選択タイミングに対応して、コラム電極Ｙ１乃至コラム電極Ｙ３に、選択的に、逆特性の両極性パルス−Ｖ４を所定期間内に複数回（図１６においては２回）印加する。具体的には、コラムドライバ５２は、ロウ電極Ｘ１が選択されているとき、コラム電極Ｙ１およびコラム電極Ｙ２に逆特性の両極性パルス−Ｖ４を印加し、ロウ電極Ｘ２が選択されているとき、コラム電極Ｙ２およびコラム電極Ｙ３に逆特性の両極性パルス−Ｖ４を印加し、ロウ電極Ｘ３が選択されているとき、コラム電極Ｙ２およびコラム電極Ｙ３に逆特性の両極性パルス−Ｖ４を印加する。
【０１１６】
ロウ電極およびコラム電極に同一タイミングで両極性パルスが印加された画素電極間には、図１７に示されるように、Ｖ３＋Ｖ４＞Ｖｆｓの両極性パルス電圧が所定期間内に２回印加されるので、対応する画素位置の透明コラム電極１２と透明ロウ電極１５の２つの電極間のコレステリック液晶層１４は、フォーカルコニック状態となり、透明となる。すなわち、選択された、（Ｘ１，Ｙ１）（Ｘ１，Ｙ２）（Ｘ２，Ｙ２）（Ｘ２，Ｙ３）（Ｘ３，Ｙ２）および（Ｘ３，Ｙ３）の６画素は、黒などの特定の色で表示され、他の画素の表示は、プレーナ状態において反射される特定波長色のままとなる。
【０１１７】
ここでも、所定の期間の時間幅とは、情報の表示に必要な速度と、液晶の駆動に必要な時間によって適宜決められるものであり、全ての画素に対応する液晶の状態をプレーナ状態に変更させて全プレーナリセットを行うために所定の時間幅に何回の両極性電圧を印加させることができるのかは、液晶の電圧に対する反応速度によって決まる。すなわち、所定の時間内に何回も両極性電圧を印加させるために、１回の電圧の印加時間を極端に短くした場合、液晶が印加電圧に反応することができず、状態が遷移されない。液晶が反応するために必要な電圧印加時間は、液晶の粘性や、液晶のギャップ厚によって異なる。
【０１１８】
本発明を適用した液晶駆動回路４１において、第３の実施の形態のようにして両極性パルスを印加するようにした場合、全プレーナリセットにおいて、画素ごとのリセット前の状態にかかわらず、均一にリセットすることが可能となり、更に、フォーカルコニック状態へ状態が遷移される画素も、それぞれの画素で均一な透過率を得られるので、表示のコントラストおよび均一性を向上させることが可能となる。
【０１１９】
次に、図１８のフローチャートを参照して、本発明を適用した液晶表示装置の液晶駆動回路４１の処理１について説明する。
【０１２０】
ステップＳ２１において、コントローラ５１は、コラムドライバ５２を制御し、コラム電極Ｙ１乃至Ｙ３に、電圧Ｖ１の両極性パルスを所定期間中にＴ回印加させ、ロウドライバ５３を制御し、ロウ電極Ｘ１乃至Ｘ３に、電圧−Ｖ２の両極性パルスを所定期間中にＴ回印加させる。このことにより、全プレーナリセットが実行される。
【０１２１】
ステップＳ２２において、コントローラ５１は、ロウドライバ５３を制御し、ロウ電極に選択電圧３Ｖを所定期間中にそれぞれＴ回走査印加させるとともに、コラムドライバ５２を制御し、コラム電極に逆特性の両極性パルス−４Ｖを所定期間中にそれぞれＴ回、ロウ電極への走査印加のタイミングとあわせて、選択的に印加させて、コレステリック液晶パネルを駆動させ、所望の画素位置の液晶のみをフォーカルコニック状態に変化させることにより、所望の情報を表示させて、処理が終了される。
【０１２２】
例えば、図１６を用いて説明したタイミングで、コラムドライバ５２から、コレステリック液晶パネル１の透明コラム電極１２のコラム電極Ｙ１乃至Ｙｎに電圧が印加され、ロウドライバ５３から、透明ロウ電極１５のロウ電極Ｘ１乃至Ｘｍに電圧が印加された場合、画素（Ｘ１，Ｙ１）乃至（Ｘ３，Ｙ３）に対応するそれぞれの画素電極には、図１７に示される両極性パルス電圧が印加される。したがって、コレステリック液晶パネル１の３×３の９画素は、全画素位置において均一な反射率になるように全プレーナリセットされた後、図６に示されるように、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素に対して、２回、フォーカルコニック状態に状態を遷移させるための両極性パルスが印加されるため、対応する画素が均一な透明度を有する。したがって、ユーザの所望の画素が、均一な黒で表示され、他の画素が均一な特定波長色で表示される。
【０１２３】
なお、図１８のフローチャートにおいては、ステップＳ２１において印加される全プレーナリセットにおける両極性電圧、および、ステップＳ２２において印加される液晶をフォーカルコニック状態に遷移させるための両極性電圧を、いずれも、所定期間内にＴ回印加されるものとして説明したが、ステップＳ２１において印加される全プレーナリセットにおける両極性電圧、および、ステップＳ２２において印加される液晶をフォーカルコニック状態に遷移させるための両極性電圧は、それぞれ、２回以上の異なる回数であってもかまわない。
【０１２４】
このような処理により、一度表示させた情報を、電源供給することなく保持することが可能なコレステリック液晶を利用した液晶表示装置において、より均一でコントラストのはっきりした表示を行うことが可能となる。
【０１２５】
なお、ここでは、２色表示を行う場合について説明したが、本発明は、コレステリック液晶を利用した液晶表示装置において多色表示を行う場合にも適用可能であることは言うまでもない。
【０１２６】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２７】
この記録媒体の一例としては、図９に示すように、プログラムが記録されている磁気ディスク６１（フレキシブルディスクを含む）、光ディスク６２（CD-ROM（Compact Disk-Read Only Memory），DVD（Digital Versatile Disk）を含む）、光磁気ディスク６３（ＭＤ（Mini-Disk)（商標）を含む）、もしくは半導体メモリ６４などにより構成される。
【０１２８】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１２９】
【図１】コレステリック液晶パネルについて説明するための図である。
【図２】コレステリック液晶パネルについて説明するための図である。
【図３】コレステリック液晶の状態と印加される両極性パルス電圧について説明する図である。
【図４】コレステリック液晶に対する駆動波形を示す図である。
【図５】従来の液晶駆動回路を示すブロック図である。
【図６】表示されるデータの例を示す図である。
【図７】図５の液晶駆動回路において、ロウ電極およびコラム電極に印加される電圧を示すタイミングチャートである。
【図８】図５の液晶駆動回路において、コレステリック液晶パネルの各画素の電極間に印加される両極性パルス電圧を示すタイミングチャートである。
【図９】本発明を適用した液晶駆動回路を示すブロック図である。
【図１０】図９の液晶駆動回路において、ロウ電極およびコラム電極に印加される電圧と、ＧＮＤレベルを示す第１のパターンのタイミングチャートである。
【図１１】図９の液晶駆動回路において、コレステリック液晶パネルの各画素の電極間に印加される両極性パルス電圧を示す第１のパターンのタイミングチャートである。
【図１２】液晶駆動回路の処理１について説明するためのフローチャートである。
【図１３】図９の液晶駆動回路において、ロウ電極およびコラム電極に印加される電圧と、ＧＮＤレベルを示す第２のパターンのタイミングチャートである。
【図１４】図９の液晶駆動回路において、コレステリック液晶パネルの各画素の電極間に印加される両極性パルス電圧を示す第２のパターンのタイミングチャートである。
【図１５】液晶駆動回路の処理２について説明するためのフローチャートである。
【図１６】図９の液晶駆動回路において、ロウ電極およびコラム電極に印加される電圧と、ＧＮＤレベルを示す第３のパターンのタイミングチャートである。
【図１７】図９の液晶駆動回路において、コレステリック液晶パネルの各画素の電極間に印加される両極性パルス電圧を示す第３のパターンのタイミングチャートである。
【図１８】液晶駆動回路の処理３について説明するためのフローチャートである。
【符号の説明】
【０１３０】
１  コレステリック液晶パネル，  ３１  コラムドライバ，  ３２  ロウドライバ，  ４１  液晶駆動回路，  ５１  コントローラ
【図１】
2005181916.tif 000003
【図２】
2005181916.tif 000004
【図３】
2005181916.tif 000005
【図４】
2005181916.tif 000006
【図５】
2005181916.tif 000007
【図６】
2005181916.tif 000008
【図７】
2005181916.tif 000009
【図８】
2005181916.tif 000010
【図９】
2005181916.tif 000011
【図１０】
2005181916.tif 000012
【図１１】
2005181916.tif 000013
【図１２】
2005181916.tif 000014
【図１３】
2005181916.tif 000015
【図１４】
2005181916.tif 000016
【図１５】
2005181916.tif 000017
【図１６】
2005181916.tif 000018
【図１７】
2005181916.tif 000019
【図１８】
2005181916.tif 000020